(57)【要約】【課題】複数のタイムゾーンの昼夜状況を知る。【解決手段】時計１には昼夜表示計５０が設けられている。昼夜表示計５０は、複数のタイムゾーンを含む地図画像５１と、地図画像５１内の地域の昼夜状況を表示する昼夜表示部５２と、を備えている。昼夜表示部５２は、地球の自転に応じて１日にほぼ１回転するように制御される。【選択図】図１
2017116365.tif 000002
【特許請求の範囲】
【請求項１】
複数のタイムゾーンを含む地図画像と、
前記地図画像内の地域の昼夜状況を表示する昼夜表示部と、
前記地図画像又は前記昼夜表示部を、地球の自転に応じて回転制御するプロセッサと、
を備える表示装置。
【請求項２】
前記昼夜表示部は、前記地図画像の周囲に配置される、
請求項１に記載の表示装置。
【請求項３】
前記昼夜表示部は、前記地図画像の一部を覆うように配置され、覆われた部分が夜であることを示す、
請求項１又は２に記載の表示装置。
【請求項４】
前記プロセッサは、前記地図画像を地球の自転方向に回転するように制御する、
請求項１から３の何れか１項に記載の表示装置。
【請求項５】
特定のタイムゾーンを前記地図画像上で指し示す地図指針をさらに備える、
請求項１から４の何れか１項に記載の表示装置。
【請求項６】
時刻を表示する時計表示部をさらに備え、
前記プロセッサは、前記地図指針で示されているタイムゾーンの時刻を表示するように、前記時計表示部を制御する、
請求項５に記載の表示装置。
【請求項７】
前記プロセッサは、季節に応じて前記昼夜表示部が示す昼夜状況の表示範囲を変化させる、
請求項１から６の何れか１項に記載の表示装置。
【請求項８】
前記地図画像には、北極を中心とした北半球の地図又は南極を中心とした南半球の地図が表示される、
請求項１から７の何れか１項に記載の表示装置。
【請求項９】
前記地図画像は、略半球面を有する、
請求項１から８の何れか１項に記載の表示装置。
【請求項１０】
請求項１から９の何れか１項に記載の表示装置を備える時計。
【発明の詳細な説明】
【技術分野】
【０００１】
本発明は、表示装置及び時計に関する。
【背景技術】
【０００２】
指定した都市やタイムゾーンの時刻を表示できる時計が知られている。例えば、特許文献１には、ユーザがボタン部を操作して都市を選択すると、選択した都市を基準時とした時刻が表示される時計について記載されている。
【先行技術文献】
【特許文献】
【０００３】
【特許文献１】特開２００６−２６６９８７号公報
【発明の概要】
【発明が解決しようとする課題】
【０００４】
特許文献１に記載されている時計では、指定された都市（タイムゾーン）の時刻は分かるものの、その都市以外の都市も含んだ複数のタイムゾーンの昼夜状況を知ることはできない。
【０００５】
本発明は、上記実情に鑑みてなされたものであり、複数のタイムゾーンの昼夜状況を知ることができる表示装置及び時計を提供することを目的とする。
【課題を解決するための手段】
【０００６】
上記目的を達成するため、本発明の表示装置は、
複数のタイムゾーンを含む地図画像と、
前記地図画像内の地域の昼夜状況を表示する昼夜表示部と、
前記地図画像又は前記昼夜表示部を、地球の自転に応じて回転制御するプロセッサと、
を備える。
【発明の効果】
【０００７】
本発明によれば、複数のタイムゾーンの昼夜状況を知ることが可能となる。
【図面の簡単な説明】
【０００８】
【図１】本発明の実施形態に係る時計の外観図である。
【図２】本発明の実施形態に係る時計の内部構成を示すブロック図である。
【図３】昼夜表示計を示す図である。
【図４】地図指針の位置が変更された後の時計の外観図である。
【図５】昼夜表示計の変形例１を示す図である。
【図６】昼夜表示計の変形例２を示す図である。
【図７】昼夜表示計の変形例３を示す図である。
【図８】時計の変形例１を示す図である。
【図９】時計の変形例２を示す図である。
【発明を実施するための形態】
【０００９】
以下、本発明の実施形態について、図面を参照しながら詳細に説明する。なお、図中同一または相当部分には同一符号を付す。
【００１０】
図１は、本発明の実施形態に係る時計１（表示装置）の外観図である。時計１は、上面が風防ガラスで構成されたケース１０と、ケース１０の側面に配置されたりゅうず２１及びボタンスイッチ２２〜２５と、を備える。またケース１０の内部には、風防ガラス越しから視認可能に、文字盤３１と各指針（時針３２、分針３３、秒針３４）とが設けられている。文字盤３１は、時刻を表す標識や目盛りが設けられている。文字盤３１上で各指針（時針３２、分針３３、秒針３４）が回転して、現在の時刻を表示する。なお、以下の説明では、指針（時針３２、分針３３、秒針３４）が示す時刻をローカルタイムとも表記する。
【００１１】
また、文字盤３１の８時方向には、小時計４０（時計表示部）が設けられている。小時計４０は、文字盤４１と、各指針（時針４２、分針４３）とを備える。文字盤４１上で各指針（時針４２、分針４３）が回転して、現在設定されているタイムゾーンの時刻を表示する。なお、以下の説明では、小時計４０の指針（時針４２、分針４３）が示す時刻をワールドタイムとも表記する。
【００１２】
また、文字盤３１の３時方向には昼夜表示計５０が設けられている。昼夜表示計５０は、地図画像５１と、昼夜表示部５２と、地図指針５３とを備え、世界（北半球）の昼夜状況を表示する。昼夜表示計５０の詳細については後述する。
【００１３】
りゅうず２１及びボタンスイッチ２２〜２５は、それぞれ、ユーザからの入力操作を受け付ける。りゅうず２１は、ケース１０から引き出しが可能であり、引き出された状態で回転操作が行われることにより、小時計４０で表示する時刻のタイムゾーンの設定等を行う。ボタンスイッチ２２〜２５は、それぞれ、機能モードの変更等の際に操作される。
【００１４】
続いて、時計１の内部構造について説明する。図２に示すように、時計１は、プロセッサ１０１と、ＲＯＭ（Read Only Memory）１０２と、ＲＡＭ（Random Access Memory）１０３と、発振回路１０４と、分周回路１０５と、計時回路１０６と、操作部１０７と、電源部１０８と、駆動回路１０９と、輪列機構１１０〜１１３と、モータ１１４〜１１７と、を備える。
【００１５】
プロセッサ１０１は、各種の制御プログラムを実行して時計１全体を統括制御する。ＲＯＭ１０２は、プロセッサ１０１が実行する制御プログラムや各種のデータが格納される。例えば、ＲＯＭ１０２には、各タイムゾーンの協定世界時（ＵＴＣ；Coordinated Universal Time）との時間差を示すデータが格納されている。ＲＡＭ１０３には各種のデータが格納されたり、プロセッサ１０１が作業するためのワークスペースとして機能する。
【００１６】
発振回路１０４は水晶発振器等を備え、所定の周波数の信号を生成して、分周回路１０５に出力する。分周回路１０５は、発振回路１０４から入力された信号を、計時回路１０６やプロセッサ１０１が利用する周波数の信号に分周して出力する。計時回路１０６は、分周回路から入力された信号の回数を計数することで現在の日時を計数し、計数した結果をプロセッサ１０１に出力する。
【００１７】
操作部１０７は、ユーザからの入力操作を受け付けて、入力操作に応じた電気信号をプロセッサ１０１に出力する。操作部１０７には、上述したりゅうず２１やボタンスイッチ２２〜２５が含まれている。
【００１８】
電源部１０８は、ソーラーバッテリや二次電池を備え、時計１に電力を供給する。
【００１９】
駆動回路１０９は、プロセッサ１０１から入力された制御信号に従ってモータ１１４〜１１７に所定電圧の駆動パルスを出力する。
【００２０】
モータ１１４〜１１７はステッピングモータであり、それぞれが駆動回路１０９から入力された駆動パルスに従って、輪列機構１１０〜１１３を駆動させる。なお、モータ１１４〜１１７をステッピングモータ以外のモータで構成してもよい。
【００２１】
輪列機構１１０〜１１３は、それぞれ、複数の歯車の組み合わせによって構成される。輪列機構１１０は、モータ１１４の回転動作に応じて、時針３２を所定の角度ずつ回転させる。輪列機構１１１は、モータ１１５の回転動作に応じて、分針３３と秒針３４とを連動させて所定の角度ずつ回転させる。輪列機構１１２は、モータ１１６の回転動作に応じて、小時計４０の時針４２と分針４３とを連動させて所定の角度ずつ回転させる。輪列機構１１３は、モータ１１７の回転動作に応じて、昼夜表示計５０の地図画像５１と地図指針５３とを連動させて所定の角度ずつ回転させる。
【００２２】
例えば、プロセッサ１０１がモータ１１４を２分に１回駆動させる毎に、輪列機構１１０により時針３２が１度回転する。
また、プロセッサ１０１がモータ１１５を１秒に１回駆動させる毎に、輪列機構１１１により秒針３４が６度、分針３３が１／１０度回転する。
また、プロセッサ１０１がモータ１１６を６０秒に１回駆動させる毎に、輪列機構１１２により小時計４０の分針４３が６度、時針４２が１／２度回転する。
また、プロセッサ１０１がモータ１１７を２０分に１回駆動させる毎に、輪列機構１１３により昼夜表示計５０の地図画像５１と地図指針５３とが５度左周りに回転する。従って、地図画像５１と地図指針５３とは、地球の自転に応じて回転する。即ち、地図画像５１と地図指針５３とは、左周りで１日にほぼ１回転するように制御される。
【００２３】
続いて、昼夜表示計５０について詳細に説明する。図３は、時計１から昼夜表示計５０のみを拡大して示した図である。
【００２４】
地図画像５１は、中央部が盛り上がった略半球面を有する円盤である。地図画像５１には、中心を北極点とする北半球の地図が、正距方位図法をデフォルメした形式で記されている。なお、他の形式の地図が地図画像５１に記されていても良い。地図画像５１は中心（北極点）を軸に回転可能であり、上述したようにプロセッサ１０１により、地球の自転に応じて、回転制御される。
【００２５】
昼夜表示部５２は、地図画像５１の周囲に設けられ、地図画像５１の地図で示されている地域（北半球）の昼夜状況を示す。具体的には、昼夜表示部５２の下側の白色部分５２Ａは昼、上側の斜線部分５２Ｂは夜を示す。例えば図３の例では、地図画像５１の地図で示されている日本は上側の斜線部分５２Ｂに位置するため、現在夜であることがわかる。
【００２６】
地図指針５３は地図画像５１上に設けられている。地図指針５３は、地図画像５１の中心を軸に回転可能であり、地図画像５１に記されている地図上で現在設定されているタイムゾーンを指し示す。また、地図画像５１と同様に地図指針５３は、地球の自転に応じて、回転制御される。従って通常時、地図画像５１と地図指針５３とは一体となって回転する。
【００２７】
ユーザは、所望のタイムゾーンを指し示すように、操作部１０７（りゅうず２１やボタンスイッチ２２〜２５）を操作して地図指針５３の回転位置を調整する。この操作に応じて、プロセッサ１０１は、地図指針５３が新たに指し示すタイムゾーンの現在時刻が表示されるように、小時計４０の時針４２と分針４３の回転位置を制御する。
【００２８】
例えば、図１に示すように地図指針５３が東京を指しており、小時計４０は東京の時刻「１０時１０分」を表示している。なおこの時刻は午後の時刻である。そしてその後、ユーザからの操作により、地図指針５３がニューヨークを指すように変更された場合を考える。この場合図４に示すように、プロセッサ１０１により、小時計４０は、ニューヨークの時刻「８時１０分」を表示するように制御される。なお、ユーザは、昼夜表示部５０から、ニューヨークの時刻「８時１０分」は午前の時刻であることも容易に分かる。
【００２９】
なお、時計１がＢｌｕｅｔｏｏｔｈ（登録商標）等の近距離無線通信に対応している場合、近接されたスマートフォン等からタイムゾーンの変更の指示を受信した際に、プロセッサ１０１が、地図指針５３や小時計４０の時針４２、分針４３の回転位置を制御してもよい。
【００３０】
なお、操作部１０７等を操作して設定可能な時計１の動作モードが複数有る場合、動作モードが第１のモード（ホームモード）に変更された場合、プロセッサ１０１が、指針（時針３２、分針３３、秒針３４）が示すローカルタイムに対応するタイムゾーンを指し示すように、地図指針５３の回転位置を制御してもよい。また、動作モードが第２のモード（ワールドモード）に変更された場合、プロセッサ１０１が、小時計４０の指針（時針４２、分針４３）が示すワールドタイムに対応するタイムゾーンを指し示すように、地図指針５３の回転位置を制御してもよい。
【００３１】
このように、本実施形態によれば、時計１には、地球の自転に応じて回転する地図画像５１とその周囲に配置された昼夜表示部５２とを備えた昼夜表示計５０が設けられている。従って、ユーザは、この昼夜表示計５０を確認することで、１つの都市（タイムゾーン）だけで無く、複数のタイムゾーンを含んだ地域（本実施形態では北半球）の現在の昼夜状況を容易に知ることが可能となる。
【００３２】
また、この昼夜表示計５０には、現在設定されているタイムゾーンを地図画像５１上で指し示す地図指針５３が設けられている。従って、ユーザは、昼夜表示計５０から、北半球の昼夜状況だけで無く、現在設定されているタイムゾーンも知ることができる。また、ユーザは、設定されているタイムゾーンの正確な時刻を小時計４０から確認することもできる。また、小時計４０に表示されている時刻が午前か午後のどちらの時刻であるかも、昼夜表示計５０の地図指針５３の位置から容易に知ることができる。
【００３３】
また、昼夜表示計５０の地図画像５１には北半球の地図が記され、地図画像５１は、地球の自転方向と同じように北極を軸に左周りに１日にほぼ１回転する。また、地図画像５１は、北半球と同様に略半球面を有している。従って、地図画像５１は地球の自転を模しており、ユーザに地球が回っていることを実感させることができる。
【００３４】
なお、本発明は、上記実施形態に限定されず、本発明の要旨を逸脱しない部分での種々の修正は勿論可能である。
【００３５】
（変形例１）
例えば、図５に示すように昼夜表示計６０を構成してもよい。この昼夜表示計６０は、地図画像５１と、地図指針５３と、昼夜表示部６１とを備える。地図画像５１と地図指針５３は、図３に示す昼夜表示計５０のものと実質的に同じである。
【００３６】
昼夜表示部６１は、昼を示す下側の白色部分６１Ａと夜を示す上側の黒色部分６１Ｂとに加えて、夕方を示す右側の斜線部分６１Ｃと、明け方を示す左側の斜線部分６１Ｄとで構成される。また、昼夜表示部６１の上下左右には、時刻を表す４つの数字（２４，１２，６，１８）が記載されている。
【００３７】
このように昼夜表示計６０を構成することにより、ユーザは、より詳細な複数のタイムゾーンの昼夜状況を知ることが可能となる。なお、時間帯毎により細かく昼夜表示部６１を区分してもよい。また、昼夜表示部６１により多くの時刻を表す数字を記載してもよい。
【００３８】
（変形例２）
また例えば、図６に示すように昼夜表示計７０を構成してもよい。この昼夜表示計７０は、地図画像５１と、地図指針５３と、昼夜表示部７１とを備える。地図画像５１と地図指針５３は、図３、図５に示す昼夜表示計５０、６０のものと実質的に同じである。
【００３９】
昼夜表示部７１は、半円形をした半透明の黒色ガラス板であり、地図画像５１の上半分を覆うように配置されている。この昼夜表示部７１で覆われた地図画像５１の地域は、現在夜であることを示す。このように昼夜表示計７０を構成することにより、ユーザは、より直感的に、複数のタイムゾーンの昼夜状況を知ることが可能となる。
【００４０】
（変形例３）
また例えば、図７に示すように昼夜表示計８０を構成してもよい。この昼夜表示計８０は、地図画像５１と、地図指針５３と、昼夜表示部８１とを備える。地図画像５１と地図指針５３は、図３、図５、図６に示す昼夜表示計５０、６０、７０のものと実質的に同じである。
【００４１】
昼夜表示部８１は、中心角約１２０度の扇形をした半透明の２枚のガラス板８１Ａ、８１Ｂにより構成される。各ガラス板８１Ａ、８１Ｂは、地図画像５１の中心と中心角を一致させ、且つ、地図画像５１を覆うようにして配置されている。また、各ガラス板８１Ａ、８１Ｂは、地図画像５１の中心を軸に回転可能であり、時計１の内部には各ガラス板８１Ａ、８１Ｂを個別に回転させるための新たなモータや輸列機構が備えられている。また、ガラス板８１Ａ、８１Ｂは一部が重なるようにして配置されており、ガラス板８１Ａ、８１Ｂ全体で覆われた地図画像５１の地域が、現在夜であることを示す。
【００４２】
現在の季節が春や夜の場合、プロセッサ１０１は、図７（Ａ）に示すように、ガラス板８１Ａ、８１Ｂで地図画像５１の上半分が覆われるように回転位置を制御する。また、現在の季節が冬の場合、プロセッサ１０１は、図７（Ｂ）に示すように、ガラス板８１Ａ、８１Ｂで地図画像５１の上半分より広い範囲が覆われるように回転位置を制御する。また、現在の季節が夏の場合、プロセッサ１０１は、図７（Ｃ）に示すように、ガラス板８１Ａ、８１Ｂで地図画像５１の上半分より狭い範囲が覆われるように回転位置を制御する。
【００４３】
なお、実際には、プロセッサ１０１は、季節の変わり目にこのような制御を行えばよい。例えば、季節が春から夏に代わるタイミング（例えば、６月１日の０時）に、プロセッサ１０１は、図７（Ａ）から図７（Ｃ）に示す状態になるように、ガラス板８１Ａ、８１Ｂの回転位置を制御すればよい。なお、プロセッサ１０１は、日毎や月毎にガラス板８１Ａ、８１Ｂの回転位置を制御して、昼夜の長さに応じてより細かくガラス板８１Ａ、８１Ｂで地図画像５１を覆う範囲を変化させてもよい。
【００４４】
このように昼夜表示計８０を構成することにより、季節による昼夜の時間の長さの変化も考慮に入れた複数のタイムゾーンの昼夜状況を表示することが可能となる。
【００４５】
（変形例４）
また、上記実施形態では、北半球の地図が記載された地図画像５１が、地球の自転を模して１日に左回りに１回転するように制御された。しかしながら、地図画像５１を回転させないで固定し、プロセッサ１０１が、１日に地図画像５１の周りを右回りに１回転するように、図３、図５に示す昼夜表示部５２、６１を回転制御してもよい。なお、図６に示すような半円形の昼夜表示部７１や、図７に示すような２枚の扇形のガラス板８１Ａ、８１Ｂによって構成される昼夜表示部８１についても同様に、地図画像５１は回転させないで固定して、プロセッサ１０１が、地図画像５１の中心を軸に１日に右回りに１回転するように昼夜表示部７１、８１を回転制御してもよい。
【００４６】
（変形例５）
また、地図画像５１に記されている地図は北半球の地図に限らず、世界の各タイムゾーンに含まれる地域の地図が地図画像５１に記されていればよい。例えば、中心を南極点とする南半球の地図が地図画像５１に記されていてもよい。なお、この場合、地球の自転を模するように、自転方向と同じ右回りで１日に１回転するように、地図画像５１を回転制御することが望ましい。また、中心を北極点又は南極点とする地球全体を表現した地図（世界地図）を地図画像５１に記してもよい。また、図８に示すように、北半球の地図が地図画像５１に記載されている昼夜表示計５０に加えて、南半球の地図が記載されている地図画像９１と昼夜表示部９２と地図指針９３とを備える昼夜表示計９０を新たに設けた時計２を構成してもよい。なお、この場合、北半球用の昼夜表示計５０の地図指針５３と、南半球用の昼夜表示計９０の地図指針９３とでは、同じタイムゾーンが指し示される。
【００４７】
（変形例６）
また、図９に示すように、複数の地図指針５３Ａ、５３Ｂを備える昼夜表示計５０を備えた時計３を構成してもよい。また、この時計３では、複数の小時計４０Ａ、４０Ｂが設けられている。
【００４８】
小時計４０Ａは、文字盤４１Ａと時針４２Ａと分針４３Ａとを備え、地図指針５３Ａが指し示すタイムゾーンの時刻を表示する。小時計４０Ｂは、文字盤４１Ｂと時針４２Ｂと分針４３Ｂとを備え、地図指針５３Ｂが指し示すタイムゾーンの時刻を表示する。
【００４９】
このように時計３を構成することにより、複数のタイムゾーンを設定し、タイムゾーン毎に、現在の時刻を確認することが可能となる。なお、より多くの地図指針５３や小時計４０を備えるように時計３を構成してもよい。
【００５０】
（変形例７）
なお、上記実施形態では、地図画像５１が左回りに回転するように制御されたが、右回りに回転するように制御してもよい。
【００５１】
（変形例８）
また、上記実施形態では、地図画像５１は略半球面を有する立体的な円盤であるとしたが、平面状の円盤であってもよいし、楕円や正方形状の盤であってもよい。
【００５２】
（変形例９）
また、上記実施形態では、地図画像５１、地図指針５３は、地球の自転に応じて回転するとしたが、地球の自転に同期する必要はなく、ユーザに違和感を与えない程度に地球の自転周期と差分が生じても構わない。
【００５３】
（変形例１０）
なお、本発明は、時計に限定されるものではなく、上述した昼夜表示計５０が搭載された他の装置や、単独の昼夜表示計５０、６０、７０、８０、９０も本発明の表示装置に含まれる。
【００５４】
以上、本発明の好ましい実施形態について説明したが、本発明は係る特定の実施形態に限定されるものではなく、本発明には、特許請求の範囲に記載された発明とその均等の範囲が含まれる。以下に、本願出願の当初の特許請求の範囲に記載された発明を付記する。
【００５５】
（付記１）
複数のタイムゾーンを含む地図画像と、
前記地図画像内の地域の昼夜状況を表示する昼夜表示部と、
前記地図画像又は前記昼夜表示部を、地球の自転に応じて回転制御するプロセッサと、
を備える表示装置。
【００５６】
（付記２）
前記昼夜表示部は、前記地図画像の周囲に配置される、
付記１に記載の表示装置。
【００５７】
（付記３）
前記昼夜表示部は、前記地図画像の一部を覆うように配置され、覆われた部分が夜であることを示す、
付記１又は２に記載の表示装置。
【００５８】
（付記４）
前記プロセッサは、前記地図画像を地球の自転方向に回転するように制御する、
付記１から３の何れか１つに記載の表示装置。
【００５９】
（付記５）
特定のタイムゾーンを前記地図画像上で指し示す地図指針をさらに備える、
付記１から４の何れか１つに記載の表示装置。
【００６０】
（付記６）
時刻を表示する時計表示部をさらに備え、
前記プロセッサは、前記地図指針で示されているタイムゾーンの時刻を表示するように、前記時計表示部を制御する、
付記５に記載の表示装置。
【００６１】
（付記７）
前記プロセッサは、季節に応じて前記昼夜表示部が示す昼夜状況の表示範囲を変化させる、
付記１から６の何れか１つに記載の表示装置。
【００６２】
（付記８）
前記地図画像には、北極を中心とした北半球の地図又は南極を中心とした南半球の地図が表示される、
付記１から７の何れか１つに記載の表示装置。
【００６３】
（付記９）
前記地図画像は、略半球面を有する、
付記１から８の何れか１つに記載の表示装置。
【００６４】
（付記１０）
付記１から９の何れか１つに記載の表示装置を備える時計。
【符号の説明】
【００６５】
１〜３…時計、１０…ケース、２１…りゅうず、２２〜２５…ボタンスイッチ、３１，４１，４１Ａ，４１Ｂ…文字盤、３２，４２，４２Ａ，４２Ｂ…時針、３３，４３，４３Ａ，４３Ｂ…分針、３４…秒針、４０，４０Ａ，４０Ｂ…小時計、５０，６０，７０，８０，９０…昼夜表示計、５１，９１…地図画像、５２，６１，７１，８１，９２…昼夜表示部、５２Ａ，６１Ａ…白色部分、５２Ｂ，６１Ｃ，６１Ｄ…斜線部分、６１Ｂ…黒色部分、５３，５３Ａ，５３Ｂ，９３…地図指針、１０１…プロセッサ、１０２…ＲＯＭ、１０３…ＲＡＭ、１０４…発振回路、１０５…分周回路、１０６…計時回路、１０７…操作部、１０８…電源部、１０９…駆動回路、１１０〜１１３…輪列機構、１１４〜１１７…モータ
【図１】
2017116365.tif 000003
【図２】
2017116365.tif 000004
【図３】
2017116365.tif 000005
【図４】
2017116365.tif 000006
【図５】
2017116365.tif 000007
【図６】
2017116365.tif 000008
【図７】
2017116365.tif 000009
【図８】
2017116365.tif 000010
【図９】
2017116365.tif 000011